(57)【要約】【課題】製造コストを抑え、違和感を生じず、デザイン性に優れる踵の滑り止め付き靴を提供する。【解決手段】  靴の踵部１の内側面を構成するすべり２の内側表面に、高さ０．１〜２．０ｍｍの模様状の突起３を設ける。模様状の突起３は、すべり２の全内側表面に延伸するように形成する。模様状の突起３は、着色したアクリル樹脂であって、スクリーン印刷を２回に分けて形成する。【選択図】図１
0003198269.tif 000002
【実用新案登録請求の範囲】
【請求項１】
すべりの内側表面に所定の高さの模様状の突起を設けた
ことを特徴とする踵の滑り止め付き靴。
【請求項２】
上記模様状の突起の高さは、０．１〜２．０ｍｍである
ことを特徴とする請求項１に記載の踵の滑り止め付き靴。
【請求項３】
上記模様状の突起は、上記すべりの全内側表面に延伸する
ことを特徴とする請求項１または２に記載の踵の滑り止め付き靴。
【請求項４】
上記模様状の突起は、合成樹脂である
ことを特徴とする請求項１乃至３のいずれか１項に記載の踵の滑り止め付き靴。
【請求項５】
上記模様状の突起は、アクリル樹脂である
ことを特徴とする請求項４に記載の踵の滑り止め付き靴。
【請求項６】
上記模様状の突起は、スクリーン印刷によって形成する
ことを特徴とする請求項５に記載の踵の滑り止め付き靴。
【請求項７】
上記模様状の突起は、上記スクリーン印刷を２回重ねて形成する
ことを特徴とする請求項６に記載の靴の滑り止め部材。
【考案の詳細な説明】
【技術分野】
【０００１】
本考案は、婦人靴や紳士靴の踵部内側に、踵が滑って脱げることを防止する工夫を施した踵の滑り止め付き靴に関する。
【背景技術】
【０００２】
従来から婦人靴や紳士靴の踵部内側には、すべりと呼ばれる天然皮革や合成皮革等のシート部材が使用されているが、踵が滑って脱げることを、より確実に防止する手段が提案されている（特許文献１及び２を参照。）。
【０００３】
上記特許文献１及び２には、靴の踵部内側の左右の少なくとも一方において、靴の内側を構成する裏革に開口穴を開けて、横長のクッション材をこのクッション材より大きめのカバー部材で覆ったものを、この開口穴から突出させる手段が記載されている。
【先行技術文献】
【特許文献】
【０００４】
【特許文献１】特開２０１１−４１５９０号公報
【特許文献２】特開２０１３−４８８５２号公報
【考案の概要】
【考案が解決しようとする課題】
【０００５】
しかるに上記特許文献１及び２に記載の手段のいずれについても、なお改良すべき次の問題があることが判明した。すなわち第１に、上記クッション材は、靴の踵部内側１個所または２個所のみに、いわば局所的に設けられ、かつ、かなり厚い素材が使用されている（特許文献２の段落「００２２」に「７ｍｍ前後」と記載。）。したがって足の踵部の側面に、クッション材が局所的に当るため、違和感が生じることを否めない。
【０００６】
第２にクッション材及びカバー部材の製作、裏革等に開口穴を開ける作業、及びクッション材をカバー部材で覆って踵部の内側面に縫合する作業等が必要になるため、製造コストが大幅に増大する。さらに第３に、踵の内側面にクッション材が突出するため、靴のデザイン性が損なわれる。
【０００７】
そこで本考案の第１の目的は、足の踵部の側面に違和感が生じない踵の滑り止め付き靴を提供することにある。第２に、製造コストを抑えた踵の滑り止め付き靴を提供することにある。そして第３に、靴のデザイン性を高めた踵の滑り止め付き靴を提供することにある。
【課題を解決するための手段】
【０００８】
本考案による踵の滑り止め付き靴は、すべりの内側表面に所定の高さの模様状の突起を設けたことを特徴とする。上記模様状の突起の高さは、０．１〜２．０ｍｍであることが好ましい。また上記模様状の突起は、上記すべりの全内側表面に延伸することが好ましい。
【０００９】
上記模様状の突起は、合成樹脂であることが好ましい。また上記模様状の突起は、アクリル樹脂であることが好ましい。
【００１０】
上記模様状の突起は、スクリーン印刷によって形成することが好ましい。さらに上記模様状の突起は、上記スクリーン印刷を２回重ねて形成することが好ましい。
【００１１】
ここで「踵の滑り止め付き靴」の「靴」については、特に限定しないが、本考案の好適な対象としては、天然皮革製または合成皮革製の婦人靴または紳士靴が該当する。また「すべり」とは、靴の踵部内側に使用する天然皮革や合成皮革、あるいは熱可塑性樹脂やレザーファイバーボード等のシート部材を意味する。滑り難い表面を有するものが好ましいが、滑り易い表面を有するものであってもよい。
【００１２】
「模様状の突起」とは、すべりに直交する方向から突起を見た場合に、突起が模様状であることを意味する。また「模様状」の模様は、その形状や色彩を問わないが、特に幅が０．５〜３ｍｍの曲線的図柄や直線的図柄を組み合わせたものが好ましい。踵の滑りを効果的に防止するとともに、踵の側部に対する違和感を減少させ、さらにはデザイン性を発揮できるからである。「突起」とは、すべりの内側表面から突出した部分を意味し、長手方向に直交する断面形状が、矩形、多角形並びに円断面及び楕円断面の一部等であるものを含む。また上面または側面に、細かい溝や凹凸を形成したものも含む。
【００１３】
なお「模様状の突起」を採用したのは、突起を模様状に構成すれば、靴のデザイン性を高めつつ、踵の滑りを効果的に防止することができるからである。また模様状の突起であれば、スクリーン印刷等によって、すべりを構成する部品に容易に形成することができ、製造コストを低減することが可能となるからである。さらに模様状の突起であれば、すべりの全面にわたって容易に形成することができ、踵の滑りを効果的に防止するとともに、踵の側部への違和感を少なくすることができるからである。
【００１４】
「模様状の突起の高さは、０．１〜２．０ｍｍであることが好ましい。」としたのは、０．１ｍｍ未満では、滑り止め効果が減少し、２．０ｍｍを超えると、踵への違和感が増すからである。なお突起の高さは、０．１〜１．０ｍｍであることが、より好ましく、０．１〜０．５ｍｍであることが、さらに好ましい。
【００１５】
「上記模様状の突起は、上記すべりの全内側表面に延伸することが好ましい。」における「すべりの全内側表面に延伸」とは、模様状の突起が、すべりの内側表面の全面にわたって形成されていること、すなわち内側表面の全面を覆うように形成されていることを意味する。また「上記模様状の突起は、上記すべりの全内側表面に延伸することが好ましい。」としたのは、模様状の突起を設ける面積を最大にすることによって、滑り止め効果を発揮させるとともに、模様状の突起が踵の側部に局所的に当たることを回避して、違和感を最少にするためである。さらに後述するように、模様状の突起をスクリーン印刷で形成する場合、まず大きなシート状の部材に模様状の突起をスクリーン印刷し、その後、すべりの形状に打ち抜くことによって、模様状の突起を形成したすべりの部品を、容易、迅速、かつ均一の品質で製作することができるからである。
【００１６】
「上記模様状の突起は、合成樹脂であることが好ましい。」としたのは、天然皮革や合成皮革等のすべりの表面に、後述するようなスクリーン印刷によって模様状の突起を密着形成することが容易であり、また耐久性や着色性に優れるからである。さらには突起に弾力性を持たせることが容易であり、踵の側部への違和感を少なくすることが可能だからである。なお「合成樹脂」には、アクリル樹脂、ウレタン樹脂、シリコン樹脂あるいは合成ゴム等が含まれる。
【００１７】
「上記模様状の突起は、アクリル樹脂であることが好ましい。」としたのは、透明性及び耐衝撃性を備え、また熱可塑形成や着色が容易であって、さらに優れた耐候性を有するからである。
【００１８】
「上記模様状の突起は、スクリーン印刷によって形成することが好ましい。」としたのは、デザイン性に優れる微細な模様状の突起の印刷に適し、熱可塑性樹脂や皮革のような柔らかい素材への印刷に適し、さらには一回の印刷で厚塗りができるからである。さらに「上記模様状の突起は、上記スクリーン印刷を２回重ねて形成することが好ましい。」としたのは、一回の印刷で厚塗りするより、２回重ねて印刷するほうが、より型崩れし難い模様状の突起を形成することができるからである。なお同一の趣旨にて３回以上重ねてスクリーン印刷を行ってもよい。
【考案の効果】
【００１９】
本考案による踵の滑り止め付き靴は、踵の側部に違和感が生じないようにしつつ、踵が滑って脱げることを防止することができる。また従来技術によるクッション材を使用する場合に比べて、製造コストを抑えることができる。さらには靴のデザイン性を高めることができる。
【図面の簡単な説明】
【００２０】
【図１】踵の滑り止め付き靴の斜視図である。
【図２】模様状の突起を設けたすべりの一部拡大平面図である。
【図３】模様状の突起の一部拡大断面図である。
【考案を実施するための形態】
【００２１】
図１〜図３を参照しつつ、本考案による踵の滑り止め付き靴について説明する。さて図１は、本考案による踵の滑り止めを、婦人靴の一種であるハイヒールに適用した場合を示している。すなわち本考案による踵の滑り止め付きハイヒールには、その踵部１の内側に位置するすべり２の内側表面に、高さが０．１ｍｍの模様状の突起３が設けてある。なお模様状の突起３は、幅が０．５〜１．０ｍｍの曲線的な図柄を主体とする草花状の模様を採用し、すべり２の全内側表面に延伸している。
【００２２】
すべり２は、いわゆる合成皮革であって、ポリエステルやポリアミド樹脂繊維による織布に、ポリウレタンやポリアミド樹脂を塗って型押しした、シート材を打ち抜いたものを使用する。なお足の踵部との摩擦力を高めるために、表面を起毛させることが望ましい。またすべり２は、着色した模様状の突起３を引き立たせるように着色することが好ましい。
【００２３】
模様状の突起３は、アクリル樹脂をスクリーン印刷によって形成する。アクリル樹脂は、デザイン性を向上させるために着色し、またスクリーン印刷は、模様状の突起３を型崩れし難くするために、２回に分けて行うことが好ましい。
【００２４】
靴は公知の材料を用いて、公知の製法によって製作する。またすべり２は、公知の製法によって踵部の内側に取り付けられる。例えば図３に示すように、靴の踵部１は、外側から順に牛革からなる甲革４、硬めの合成皮革からなる月型芯（カウンター）５、および模様状の突起３を設けた熱可塑性樹脂からなるすべり２を、接着剤および縫い合わせて接合する。なおすべり２の左右の前側端は、合成皮革からなる腰裏６に縫い付ける。
【産業上の利用可能性】
【００２５】
本考案による踵の滑り止め付き靴は、踵の側部に違和感が生じないようにしつつ、踵が滑って脱げることを防止することができる。また製造コストを抑えることができる。さらには靴のデザイン性を高めることができる。したがって靴に関する産業において、広く利用することができる。
【符号の説明】
【００２６】
１    靴の踵部
２    すべり
３    模様状の突起
４    甲革
５    月型芯
６    腰裏
【図１】
0003198269.tif 000003
【図２】
0003198269.tif 000004
【図３】
0003198269.tif 000005